(57)【要約】【課題】半導体式ガス検知素子の出力値を被検知ガスの濃度として換算できるガス検知装置を提供する。【解決手段】半導体式ガス検知素子と、当該半導体式ガス検知素子の出力値を下記（Ｉ）式に基づいてガスの濃度に換算する換算手段とを備えたガス検知装置。[数１]  Ｙ＝ａ・ｌｏｇ（Ｘ＋ｃ＋１）＋ｂ                  （Ｉ）（式中、Ｘはガスの濃度、Ｙは出力値、ａ，ｂ，ｃはそれぞれ定数を示す。）【選択図】なし【特許請求の範囲】
【請求項１】
半導体式ガス検知素子と、当該半導体式ガス検知素子の出力値を下記（Ｉ）式に基づいてガスの濃度に換算する換算手段とを備えたガス検知装置。
[数１]
Ｙ＝ａ・ｌｏｇ（Ｘ＋ｃ＋１）＋ｂ                  （Ｉ）
（式中、Ｘはガスの濃度、Ｙは出力値、ａ，ｂ，ｃはそれぞれ定数を示す。）
【請求項２】
前記出力値は、複数のガス種に基づくものである請求項１に記載のガス検知装置。
【請求項３】
前記ガスの濃度は、所定のガス種の濃度である請求項１または２に記載のガス検知装置。
【請求項４】
前記所定のガス種の濃度を表示する表示手段をさらに備える請求項３に記載のガス検知装置。
【請求項５】
前記（Ｉ）式において、ｃを０とし、ｂを検知するガスが存在しない場合の前記半導体式ガス検知素子の出力値としてある請求項１〜４のいずれかに記載のガス検知装置。
【請求項６】
前記（Ｉ）式において、ａを、前記ガスの濃度と、当該濃度における前記半導体式ガス検知素子の出力値とに基づき算出し、設定してある請求項１〜５のいずれか一項に記載のガス検知装置。
【発明の詳細な説明】
【技術分野】
【０００１】
本発明は、半導体式ガス検知素子を備えたガス検知装置に関する。
【背景技術】
【０００２】
一般に、半導体式ガス検知素子は、例えば、清浄空気中等、検知対象となるガス（以下、「被検知ガス」と称する場合がある。）が存在しない雰囲気下では、表面に酸素が吸着した状態となっており、この吸着した酸素によって生じる空間電荷層が粒子内部に向かって広がるため、自由電子の伝導パスが狭くなり、電気抵抗が高くなる。一方、被検知ガスが存在する雰囲気下では、半導体式ガス検知素子は、吸着している酸素が被検知ガスとの酸化還元反応によって、その表面から脱離するため、電気抵抗が低くなる。半導体式ガス検知素子を備えたガス検知装置は、この電気抵抗の変化を出力値として取り出すことによって、被検知ガスを検知している。
【０００３】
この種の半導体式ガス検知素子の出力値は、検知範囲の低濃度側で大きく変化し、高濃度になるほど濃度に対する出力値の変化量が小さくなる特性を有する。このため、このような半導体式ガス検知素子は、低濃度のガスを検知するのに適しており、特に高感度検知が要求されるガス警報器やガス漏洩検知装置などに多く利用されている。
【０００４】
尚、本発明における従来技術となる半導体式ガス検知素子を備えたガス検知装置は、一般的な技術であるため、特許文献等の先行技術文献は記載しない。
【発明の概要】
【発明が解決しようとする課題】
【０００５】
しかし、前記従来の半導体式ガス検知素子では、その出力値の特徴をセンサ出力値とガス濃度の対数との関係として図式化すると、非線形の関係になるが、この関係を単純な関数で表現する手法がなかった。このため、これまで半導体式ガス検知素子はガス濃度を計測する濃度計としての用途には活用されてこなかった。
【０００６】
本発明は、上記課題に鑑みてなされたものであり、半導体式ガス検知素子の出力値を被検知ガスの濃度として換算できるガス検知装置を提供することを目的とする。
【課題を解決するための手段】
【０００７】
上記目的を達成するための本発明に係るガス検知装置の特徴構成は、半導体式ガス検知素子と、当該半導体式ガス検知素子の出力値を下記（Ｉ）式に基づいてガスの濃度に換算する換算手段とを備えた点にある。
[数１]
Ｙ＝ａ・ｌｏｇ（Ｘ＋ｃ＋１）＋ｂ                  （Ｉ）
（式中、Ｘはガスの濃度、Ｙは出力値、ａ，ｂ，ｃはそれぞれ定数を示す。）
【０００８】
本構成によれば、後述する実施例に示すように、雑ガス等による出力値を被検知ガスによる出力値とすることにより、半導体式ガス検知素子の出力値を清浄空気中における被検知ガスの濃度として換算することができる。
このため、清浄空気中に、被検知ガス、雑ガスを含めたガスがどれだけ存在するかを、被検知ガスの濃度を尺度として知ることができる。
【０００９】
本発明に係るガス検知装置は、前記出力値が複数のガス種に基づく場合に好ましく適用できる。本構成によれば、被検知ガス、複数種類の雑ガス、水蒸気等が存在する環境下においても、清浄空気中における被検知ガスの濃度として換算することができる。
【００１０】
本発明に係るガス検知装置において、前記ガスの濃度を所定のガス種の濃度とすることもできる。例えば、複数種類のガスが被検知ガスとなる場合のように出力値が複数種類の被検知ガスに基づく場合には、被検知ガスのうちの一つのガス種を予め決めて上記式（Ｉ）を設定しておくことで、そのガス種に対する濃度として換算することができる。
【００１１】
本発明に係るガス検知装置は、前記所定のガス種の濃度を表示する表示手段をさらに備えることが好ましい。本構成によれば、清浄空気に対する濃度変化を表示できるので、工場、実験室、クリーンルーム等、仕切られた空間のガス濃度を監視するガス濃度表示装置として適用できる。
【００１２】
前記（Ｉ）式において、cを０とし、bを検知するガスが存在しない場合の前記半導体式ガス検知素子の出力値とすることが好ましい。cを０とすれば、ガスの濃度Ｘが０のとき、Ｙ＝ｂとなるため、清浄空気中の出力値としてbを予め設定しておくことができる。また、aは、前記ガスの濃度と、当該濃度における前記半導体式ガス検知素子の出力値とに基づき算出し、設定することができる。
【図面の簡単な説明】
【００１３】
【図１】各環境下でのエタノール感度を示すグラフである。
【図２】バックグラウンドノイズレベルをエタノール濃度に換算したときの感度を示すグラフである。
【図３】清浄空気中のエタノール感度と近似式で算出したものとを比較したグラフである。
【図４】各ガス種の感度を示すグラフである。
【図５】各ガス種の出力値を近似式で換算したものを示すグラフである。
【発明を実施するための形態】
【００１４】
本発明に係るガス検知装置は、半導体式ガス検知素子と、当該半導体式ガス検知素子の出力値を下記（Ｉ）式に基づいてガスの濃度に換算する換算手段とを備えたものである。
【００１５】
[数２]
Ｙ＝ａ・ｌｏｇ（Ｘ＋ｃ＋１）＋ｂ                  （Ｉ）
（式中、Ｘはガスの濃度、Ｙは出力値、ａ，ｂ，ｃはそれぞれ定数を示す。）
【００１６】
本発明者らは、後述する実施例に示すように、環境中の雑ガス等の影響を実験的に確認し、半導体式ガス検知素子の出力値は、雑ガス等の種類に関わらず、被検知ガスの濃度として換算できることに着目し、上記（Ｉ）式を導き出した。
【００１７】
上記（Ｉ）式において、ａ、ｂ、ｃは定数であり、適宜設定することができる。一例として、センサを雑ガスがない清浄空気中で４ｍＡとなるように調整し、校正ガスとしてエタノール５０ｐｐｍで回路出力値が２０ｍＡとなるようにスパン調整をする場合で説明する。清浄空気中では、ガス濃度Ｘ=０、雑ガスによるノイズ分の校正ガス換算濃度ｃ=０であり、このときＹ=ｂ=４となる。次に清浄空気バランスのエタノール５０ｐｐｍ中で２０ｍＡとなるように調整する場合はＹ=２０、Ｘ=５０、ｃ=０、ｂ=４であるので、自ずとａ=９．３７が求まる。
このようにして調整したガスセンサを使用する通常の室内空気中におくと、雑ガスの影響でセンサの出力値Ｙは必ず４より大きな値となる。この清浄空気中と室内空気中とのセンサ出力の差がバックグラウンドノイズであり、この差の分を校正ガス濃度に換算してcに代入する。仮にエタノール１ｐｐｍ相当分のバックグラウンドノイズがある環境でエタノール濃度を計測する場合は、ａ=９．３７、ｂ=４、ｃ=１とし、環境中にエタノールによってセンサ出力Ｙの値が変化したとすると、Ｙの値からエタノールガス濃度Ｘが求まることになる。すなわち、室内に雑ガスが共存する環境中でもエタノールの濃度を求めることができる。
【００１８】
本発明に係るガス検知装置は、半導体式ガス検知素子の出力値が複数のガス種に基づいている場合に好ましく適用できる。例えば、環境中に複数種類の雑ガスや被検知ガス、水蒸気等が存在し、その濃度が変動する場合でも、清浄空気中における被検知ガスの濃度として、その変化を捉えることができる。特に、複数種類の被検知ガスが存在する場合には、そのうちの一つのガス種に対応するａを用いることにより、そのガス種の濃度として換算することができる。
【００１９】
本発明に係るガス検知装置は、ガスの濃度を表示する表示手段を設けることが好ましい。本発明に係るガス検知装置は、清浄空気中のガスの存在を、所定のガス種の濃度変化として表すことができるので、工場、実験室、クリーンルーム等、仕切られた空間のガス濃度を監視し、ユーザーに対してガスの濃度をリアルタイムで表示するガス濃度表示装置として適用できる。
【００２０】
本発明において使用する半導体式ガス検知素子は、特に限定されず、例えば、熱線型半導体式ガス検知素子、基板型半導体式ガス検知素子等が挙げられる。これらの半導体式ガス検知素子は、例えば、既知のガス検知回路等に組み込むことにより用いることができる。
【００２１】
本発明に係るガス検知装置は、被検知ガスの種類に応じて、半導体式ガス検知素子の種類を適宜選択することができる。このガス検知装置によって検知できるガス種としては、特に制限はなく、例えば、可燃性ガス、毒性ガス、不活性ガス、ＶＯＣ等が挙げられ、本発明に係るガス検知装置は、例えば、可燃性ガスセンサ、ガス漏れセンサ、ニオイセンサ等として用いることができる。
【実施例】
【００２２】
（実施例１）
半導体式ガス検知素子として、酸化スズを感応材料として用いた熱線型半導体式センサを用い、（１）清浄空気中、（２）実験室内の空気中、（３）雑ガス成分として水素を２００ｐｐｍ混入させた実験室内の空気中、（４）雑ガス成分としてトルエン１０ｐｐｍ混入させた実験室内の空気中、（５）雑ガス成分としてエタノールを１ｐｐｍ混入させた実験室内の空気中、のそれぞれの雰囲気下におけるエタノールの感度を調べ、図１に示した。その結果、低濃度側では環境中の雑ガス（バックグラウンドノイズ）による出力変動は大きいが、エタノールの濃度が高くなるとバックグラウンドノイズの影響が小さくなることが分かった。
【００２３】
また、図１における清浄空気中のエタノールに対する感度を基準として、バックグラウンドノイズのレベルをエタノールの濃度に換算すると、室内空気中の２００ｐｐｍの水素に対する出力値はエタノールの濃度の約１ｐｐｍに相当し、室内空気中の１０ｐｐｍのトルエンに対する出力値はエタノールの濃度の約２ｐｐｍに相当することが分かった。すなわち、室内空気中における２００ｐｐｍの水素、及び１０ｐｐｍのトルエンが半導体式ガス検知素子に与える影響は、それぞれ清浄空気中のエタノール約１ｐｐｍ、及び約２ｐｐｍと同等と見なせることが分かる。したがって、室内空気中に水素２００ｐｐｍを含む雰囲気下でエタノールが１ｐｐｍ存在するときには、エタノールの濃度２ｐｐｍと同等であると考えることができ、同様にエタノール１０ｐｐｍ、５０ｐｐｍがそれぞれ存在するときには、エタノールの濃度１１ｐｐｍ、５１ｐｐｍと同等であると考えることができる。これによれば、半導体式ガス検知素子において、エタノール濃度が高くなるほどバックグラウンドノイズの影響（比率）が小さくなることも説明できる。
この考えをもとに、バックグラウンドノイズ分をエタノール濃度に換算して加算し、プロットし直したときの感度特性を図２に示した。その結果、異なるバックグラウンドでもエタノール感度曲線が重なることから、環境中の雑ガス等の種類に関わらず、エタノールの濃度に換算して表すことができることが分かった。
【００２４】
上記結果から半導体式ガス検知素子の感度特性を数式で表すと、以下の近似式で表せることが分かった。
[数３]
Ｙ＝ａ・ｌｏｇ（Ｘ＋ｃ＋１）＋ｂ                  （Ｉ）
（式中、Ｘはガスの濃度、Ｙは出力値、ａ，ｂ，ｃはそれぞれ定数を示す。）
【００２５】
次に、上記の（Ｉ）式において、エタノールの濃度Ｘが０ｐｐｍ（清浄空気）のときの半導体式ガス検知素子の出力値Ｙが４ｍＶとなることを前提として、ｂ＝４、ｃ＝０とし、清浄空気中のエタノールの濃度が５０ｐｐｍのときの出力値が２０ｍＶであることに基づいてａを求め、この（Ｉ）式で近似したものと清浄空気中のエタノールの実測した感度とをプロットし、図３に示した。その結果、この近似式は実測の感度特性によく合っていることが分かった。
【００２６】
（実施例２）
実施例１で説明した手順にてエタノールで校正したガスセンサのそのほかの各種ガスに対する感度も同じ近似式で表現できることを図４と図５に示す。図４は各種ガスに対する感度を雑ガスが存在しない清浄空気中で実際に確認した実測データである。式（Ｉ）のｂ＝４、ｃ＝０であるので、各種ガスの５０ｐｐｍ中の感度からａを求めることができる。そこで実測データから求めたａを式（Ｉ）に代入してガス濃度Ｘの値を適宜代入してセンサ出力値Ｙを求めてプロットしたものが図５である。両者を比較すると他のガスに対しても実測値とよく一致した結果が得られていることがわかり、式（Ｉ）の関数の妥当性が説明できる。このときの各ガスに対応するａの値は、感度の序列を表す指標として用いることができる。
【００２７】
したがって、半導体式ガスセンサを用いて環境中の低濃度のガスを連続的にモニタリングする用途において、予め清浄空気中で任意の校正ガスで調整して、式（Ｉ）の定数ａとｂを決めておき、ｃを０として、センサ出力値Ｙを式（Ｉ）に代入すれば、環境中の不特定のガス濃度を校正ガスの濃度に換算して表現することができる。これにより、例えば校正ガスをトルエンとすれば、環境中に存在するＶＯＣの濃度レベルをトルエン濃度に換算してＴＶＯＣとして表現することが可能となる。
【００２８】
尚、各種ガスのａの値は、表１に示す通りである。
【表１】
2013164402.tif 000002
【００２９】
また、半導体式ガスセンサを用いて低濃度のガス濃度を計測する用途において、予め清浄空気中で任意の被検知ガスで校正して、式（Ｉ）の定数ａとｂを決めておき、測定環境中での被検知ガスが存在しない場合（Ｘ＝０）のセンサ出力値をバックグラウンドノイズと見なしてcを求めてから、ａ、ｂ、ｃおよびＹを式（Ｉ）に代入すれば、水蒸気や雑ガスが存在する環境中であっても、センサ出力の変化分を被検知ガスの濃度に換算して表現できるようになる。これにより例えば携帯型のガス濃度計において、屋外などでゼロ調整（ｃを求めて式（Ｉ）に代入する操作）し、室内の空気を計測すれば屋外と室内の空気の清浄の違いを被検知ガスの濃度として表現することが可能となる。
【産業上の利用可能性】
【００３０】
本発明に係るガス検知装置は、半導体式ガス検知素子の出力値を被検知ガスの濃度として換算できるため、ガス濃度計、ガス警報器、ガス漏れ検知装置等に適用することができる。
【図１】
2013164402.tif 000003
【図２】
2013164402.tif 000004
【図３】
2013164402.tif 000005
【図４】
2013164402.tif 000006
【図５】
2013164402.tif 000007